(57)【特許請求の範囲】
【請求項１】
イヤホンにおいて、
フロントキャビティを前方に設けた状態でスピーカを収納する第１の空間を内部に有するとともに、前記第１の空間を使用者の外耳道に連通させる第１の開口部が先端に設けられている本体部であって、前記第１の開口部付近に設けられた第２の開口部を介して前記第１の空間と連通する第２の空間を内部に有し、前記第２の空間を外部の空間に連通させる第３の開口部が設けられている本体部と、
前記第２の開口部と前記第３の開口部の少なくとも一方に対して開閉自在に設けられる蓋部と、
当該イヤホンの使用者の運動に伴って変化する物理量を計測する計測部と、
前記計測部により計測される物理量の特性から前記使用者の運動状態を判定し、その運動状態に応じて前記蓋部を開閉する開閉制御部と、を有し、
前記蓋部と前記開閉制御部は前記第２の空間内に設けられている
ことを特徴とするイヤホン。
【請求項２】
前記開閉制御部は、前記使用者が運動していると判定される場合には前記蓋部を開き、前記使用者が運動していないと判定される場合には前記蓋部を閉じることを特徴とする請求項１に記載のイヤホン。
【請求項３】
前記開閉制御部は、前記使用者が予め定めた閾値未満の速度で移動していると判定される場合には前記蓋部を開き、前記使用者が移動していないと判定される場合または前記使用者が前記閾値以上の速度で移動していると判定される場合には前記蓋部を閉じることを特徴とする請求項１に記載のイヤホン。
【請求項４】
前記開閉制御部は、前記使用者の運動状態に応じて前記蓋部を開いた状態とすることに同期させて、前記スピーカの再生音量を引き下げることを特徴とする請求項１〜３の何れか１項に記載のイヤホン。
【請求項５】
前記蓋部を開いた状態とするべき運動状態、または前記蓋部を閉じた状態とするべき運動状態を示すデータを前記使用者の操作に応じて登録する開閉設定登録部をさらに有することを特徴とする請求項１〜４の何れか１項に記載のイヤホン。
【発明の詳細な説明】
【技術分野】
【０００１】
この発明は、イヤホンに関し、特に、外耳道に挿入して使用されるカナル型イヤホンに関する。
【背景技術】
【０００２】
一般に、イヤホンの本体部（ハウジング部）は、フロントキャビティおよびバックキャビティを前後に設けた状態でスピーカを収納し、フロントキャビティに連通する開口部を先端に有している。この開口部からフロントキャビティへと至る上記本体部内の空間は、スピーカからフロントキャビティへ放射される音を使用者の外耳道へと案内する音道の役割を果たす。カナル型イヤホンとは、エラストマやシリコンゴムなどの軟性の弾性体により形成されたイヤーピースを上記本体部の先端に装着してなるものである。図９は、カナル型イヤホンの使用態様を示す図である。図９に示すように、カナル型イヤホンは、使用者の外耳道８４にイヤーピースＥＰが押し込まれることによって当該使用者の耳に装着される。カナル型イヤホンのイヤーピースＥＰは軟性の弾性体で形成されているため、使用者の外耳道８４へ押し込まれる過程で外耳道８４の形状に合わせて変形し外耳道８４の壁面に密着する。
【０００３】
カナル型イヤホンは、その装着の際にイヤーピースＥＰが使用者の外耳道８４の壁面に密着するため、周囲への音漏れが少なく、また、周囲の音によって楽音の受聴が妨げられない、といった特徴や、カナル型イヤホンを装着して楽音を聴きながらジョギング等の運動を行っても外れ難いといった特徴を有している。しかし、カナル型イヤホンを用いて楽音を聴きながら屋外で歩行やジョギングなどの運動をしているような状況下では、周囲の音によって楽音の受聴が妨げられないといったカナル型イヤホンの特徴は欠点にもなり得る。例えば、背後から接近する車両の走行音や当該車両が発する警告音を聴き取ることができず、予期せぬ危険に曝される場合がある、といった具合である。
【０００４】
特許文献１には、カナル型イヤホンの上記欠点を解消するための技術が開示されている。特許文献１に記載のイヤホンは、一端が外耳道に向って開口し他端が外部の空間に向って開口するチャネルと、当該チャネルの他端を開放または閉鎖する手段と、をハウジング部に有している。上記チャネルを開放することによって当該イヤホンの使用者は外部の音を聴くことができ、逆に、上記チャネルを閉鎖することによって、外部の音を遮断することができるのである。
【先行技術文献】
【特許文献】
【０００５】
【特許文献１】特表２００９−５２５６２９号公報
【発明の概要】
【発明が解決しようとする課題】
【０００６】
しかし、特許文献１に開示された技術では、イヤホンの使用者はチャネルの開閉を手動で指示しなければならず、煩わしいといった問題がある。特段の操作を行わなくても周囲の音を聴き取れるようにするために、カナル型イヤホンに周囲の音を収音するマイクロホンを設け、このマイクロホンにより収音された音をイヤホン内のスピーカから放音させるようにすることも考えられる。しかし、このような態様では、イヤホンの使用者が聴く外部の周囲音は電気的な信号処理を経たものであるため、補聴器を用いている場合と同様に自然な感じが乏しく、その聴感に違和感が伴う場合がある。
本発明は以上に説明した課題に鑑みて為されたものであり、使用者に煩雑な操作を強いることなく、歩行中などの運動状態においては周囲の音を違和感を伴うことなく聴くことが可能なカナル型イヤホンを提供することを目的とする。
【課題を解決するための手段】
【０００７】
上記課題を解決するために本発明は、フロントキャビティを前方に設けた状態でスピーカを収納する第１の空間を内部に有するとともに、前記第１の空間を使用者の外耳道に連通させる第１の開口部が先端に設けられている本体部であって、前記第１の開口部付近に設けられた第２の開口部を介して前記第１の空間と連通する第２の空間を内部に有し、前記第２の空間を外部の空間に連通させる第３の開口部が設けられている本体部と、前記第２の開口部と前記第３の開口部の少なくとも一方に対して開閉自在に設けられる蓋部と、当該イヤホンの使用者の運動に伴って変化する物理量を計測する計測部と、前記計測部により計測される物理量の特性から前記使用者の運動状態を判定し、その運動状態に応じて前記蓋部を開閉する開閉制御部と、を有し、前記蓋部と前記開閉制御部は前記第２の空間内に設けられていることを特徴とするイヤホン、を提供する。
【０００８】
本発明のイヤホンによれば、当該イヤホンの使用者が特段の操作を行わなくても、当該使用者の運動状態に応じて蓋部の開閉制御が行われる。このため、本発明のイヤホンの本体部先端にエラストマやシリコンゴムなどの軟性の弾性体により形成したイヤーピースを装着しカナル型イヤホンとして用いる場合、蓋部を開くべき運動状態として当該使用者が歩行している状態を設定しておけば、当該イヤホンを用いて楽音を聴きながら歩行している場合には、使用者が特段の操作を行わなくても蓋部が開かれる。蓋部が開いた状態では、当該イヤホンの使用者の外耳道は第１、第２および第３の開口部を介して外部の空間と連通し、当該使用者は外部の音をマイクロホン等を介さずに直接聴き取ることができる。つまり、本発明によれば、使用者に煩雑な操作を強いることなく、歩行中などの運動状態においては周囲の音を違和感を伴うことなく聴くことが可能なカナル型イヤホンが提供されるのである。
【０００９】
使用者の運動に伴って変化する物理量の一例としては、当該使用者の加速度或いは移動速度を用いることが考えられ、上記物理量として加速度を用いる場合には加速度センサを上記計測部として用い、上記物理量として移動速度を用いる場合には、加速度センサと当該加速度センサの出力信号を積分する回路とで上記計測部を構成することが考えられる。また、イヤホンの使用者の運動状態に応じた蓋部の開閉制御についても種々の態様が考えられる。第１に、イヤホンの使用者が歩いている場合や走っている場合など当該使用者が移動していると判定される場合には蓋部を開き、椅子に腰掛けている場合や立ち止まっている場合など当該使用者が移動していないと判定される場合には前記蓋部を閉じる態様が考えられる。このような態様によれば、当該イヤホンの使用者が移動中であれば蓋部が開いた状態とされ、椅子に腰掛けるなどして移動していない状態であれば蓋部が閉じた状態とされる。前述したように、蓋部が開いた状態では、当該イヤホンの使用者は周囲の音を聴き取ることができるため、後方から接近する車両等を検知することができ、予期せぬ危険に曝されることはない。また、椅子に腰掛けたりするなどして移動していない状態では、蓋部は閉じられ、当該イヤホンの外耳道は外部の空間から遮断されるため、当該イヤホンの使用者は周囲の音に邪魔されることなく楽音の聴取を楽しむことができる。
【００１０】
また、イヤホンの運動状態に応じた蓋部の開閉制御の第２の態様としては、イヤホンの使用者が予め定めた閾値未満の速度で移動していると判定される場合には前記蓋部を開き、前記使用者が移動していないと判定される場合または前記使用者が前記閾値以上の速度で移動していると判定される場合には前記蓋部を閉じる態様が考えられる。上記閾値を人の平均的な走行速度よりもやや速い値に定めておけば、歩行中或いはジョギング中などには周囲の音を聴くことができ、停止中、または走っている場合よりも早い速度で移動している状態（例えば、列車や自動車などの乗り物に乗って移動している状態）では周囲の音を遮断して楽音の聴取を楽しむことができる。
【００１１】
より好ましい態様においては、蓋部を閉じた状態とするべき運動状態または蓋部を開いた状態とするべき運動状態を当該イヤホンの使用者に設定させる開閉設定登録部を有することを特徴とする。このような態様によれば、当該イヤホンの使用者の所望に応じて蓋部を閉じた状態とするべき運動状態または蓋部を開いた状態とするべき運動状態を設定し、その設定内容に応じて蓋部の開閉制御を行うことが可能になる。
【００１２】
また、別の好ましい態様においては、使用者の運動状態に応じて蓋部を開いた状態とすることに同期させて、スピーカの再生音量を引き下げる処理を開閉制御に実行させるようにしても良い。スピーカの再生音によって外部の音の聴き取りが妨げられないようにするためである。
【００１３】
さらに別の好ましい態様としては、前記開閉制御部としてラッチ型ソレノイドなどのラッチ型アクチュエータを用いる態様が考えられる。詳細については後述するが、このような態様によれば蓋部を開くとき、或いは蓋部を閉じるときだけ上記ラッチ型アクチュエータを通電させれば良く、蓋部を閉じた状態或いは同蓋部を開いた状態の維持に電力を要しない、といった利点があるからである。
【図面の簡単な説明】
【００１４】
【図１】本発明の実施形態のイヤホン１Ａの外観および使用態様を示す図である。
【図２】同イヤホン１Ａの構成を示す断面図である。
【図３】同イヤホン１Ａのラッチ型ソレノイド３１０の構成および動作を模式的に示した図である。
【図４】同イヤホン１Ａのコントローラ３２０の構成例を示す図である。
【図５】同コントローラ３２０の不揮発性記憶部３２４２に記憶されている開閉設定テーブル３２４２ｂのテーブルフォーマットの一例を示す図である。
【図６】同コントローラ３２０のＣＰＵ３２１０が開閉制御プログラム３２４２ａにしたがって実行する開閉設定登録処理の流れを示すフローチャートである。
【図７】同コントローラ３２０のＣＰＵ３２１０が開閉制御プログラム３２４２ａにしたがって実行する開閉制御処理の流れを示すフローチャートである。
【図８】本発明の変形例を説明するための図である。
【図９】カナル型イヤホンの使用態様を説明するための図である。
【発明を実施するための形態】
【００１５】
以下、図面を参照し、この発明の実施形態について説明する。
＜Ａ：構成＞  
図１は、本発明の一実施形態のイヤホン１Ａの外観および使用態様を示す図である。
イヤホン１Ａはカナル型イヤホンであり、図１に示すように、従来のカナル型イヤホン（図９参照）と同様にイヤーピースＥＰを使用者の外耳道８４に押し込むようにして当該使用者の左右の耳に装着される。図１には、使用者の左右の耳のうちの一方に対する装着態様が示されている。図１に示すように、イヤホン１Ａは、本体部１０と、この本体部１０の先端に装着されるイヤーピースＥＰとが含まれており、本体部１０にはケーブルを介して楽音再生装置（図示略）から左右の何れか一方のチャネルのオーディオ信号が供給される。イヤーピースＥＰは、エラストマやシリコンゴムなどの弾性体で形成されている。イヤーピースＥＰは、使用者の外耳道８４に押し込まれる過程において当該外耳道８４の形状に合わせて変形し当該外耳道８４の壁面に密着する。
【００１６】
図２（Ａ）および図２（Ｂ）は、図１のＸＸ´線におけるイヤホン１Ａの断面を示す断面図である。図２（Ａ）および図２（Ｂ）に示すように、本体部１０内部は、大きく２つの空間に区画されている。これら２つの空間のうちの一方（以下、第１の空間）には、フロントキャビティ１１０およびバックキャビティ１２０を前後に設けた状態でスピーカＳＰが収納される。図２（Ａ）および図２（Ｂ）に示すように、本体部１０の先端部には、上記第１の空間を使用者の外耳道に連通させる開口部１３０（第１の開口部）が設けられている。上記第１の空間のうちフロントキャビティ１１０から開口部１３０に至る部分と開口部１３０はスピーカＳＰの音振動をイヤホン１Ａの使用者の外耳道へと案内する音道８６の役割を果たす。本体部１０において上記第１の空間と他方の空間（以下、第２の空間）とを仕切る部材には両空間を連通させる開口部１７０（第２の開口部）が開口部１３０の近傍に設けられている。さらに、本体部１０の筐体には、上記第２の空間を外部の空間に連通させる開口部１６０（第３の開口部）が設けられている。この第２の空間には、開口部１６０に対して開閉自在に設けられた蓋部２０と、この蓋部２０の開閉を行うラッチ型ソレノイド３１０とが収納される。
【００１７】
図２（Ａ）は、蓋部２０を閉じて開口部１６０を塞いだ状態のイヤホン１Ａの断面を示す図であり、図２（Ｂ）は、蓋部２０によって開口部１６０が塞がれていない状態（以下、「開口部１６０が開いた状態」と呼ぶ）のイヤホン１Ａの断面を示す図である。本実施形態では、ラッチ型ソレノイド３１０によって蓋部２０を図２（Ａ）における矢印ＭＡ方向、または図２（Ｂ）における矢印ＭＢ方向にスライドさせることで開口部１６０の開閉が行われる。
【００１８】
例えば、図２（Ａ）に示すように、開口部１６０が蓋部２０によって塞がれている状態においては、蓋部２０を同図２（Ａ）の矢印ＭＡ方向にスライドさせることによって、開口部１６０が開いた状態へと遷移せることができる。逆に、図２（Ｂ）に示すように、開口部１６０が開いた状態においては、蓋部２０を同図２（Ｂ）の矢印ＭＢ方向にスライドさせることによって、開口部１６０を蓋部２０によって閉じた状態へと遷移せることができる。本実施形態では、開口部１６０が閉じた状態では、図２（Ａ）に示すように、蓋部２０によって開口部１７０も塞がれ、開口部１６０が開いた状態では、図２（Ｂ）に示すように、開口部１７０も開放される。このため、図２（Ｂ）に示すように、開口部１６０が開いた状態では、上記第１の空間（すなわち、フロントキャビティ１１０および開口部１３０とともに音道８６の役割を果たす空間）は開口部１７０および１６０を介して外部の空間に連通する。イヤホン１Ａが使用者の耳に装着された状態（すなわち、イヤーピースＥＰが使用者の外耳道８４に押し込まれた状態）において開口部１６０を開いた状態にすると、イヤホン１Ａの使用者の鼓膜、同外耳道、イヤーピースＥＰ、音道８６およびフロントキャビティ１１０により区画される空間は、開口部１３０、開口部１７０および開口部１６０を介して外部の空間と連通する。このように、開口部１６０を開いた状態では使用者の外耳道は開口部１３０、１７０および１６０を介して外部の空間と連通するため、当該使用者は周囲の音を聴き取ることができる。逆に、開口部１６０が閉じた状態としておけば、イヤホン１Ａの使用者の鼓膜、同外耳道、イヤーピースＥＰ、音道８６およびフロントキャビティ１１０により区画される空間は外部の空間から遮断され、当該使用者は周囲の音を聴き取ることはできない。つまり、本実施形態では、蓋部２０の開閉によって、周囲の音を聴き取れる状態と、周囲の音から遮断された状態とが切り換えられるのである。
【００１９】
図３は、ラッチ型ソレノイド３１０の構成および動作を模式的に示した図である。
図３に示すように、ラッチ型ソレノイド３１０の構成および機能は一般的なラッチ型ソレノイドと何ら変るところはない。具体的には、ラッチ型ソレノイド３１０は、図３に示すように、プランジャ３１０ａ、付勢部材３１０ｂ、励磁コイル３１０ｃ、固定鉄芯３１０ｄ、および永久磁石３１０ｅを含んでいる。
【００２０】
励磁コイル３１０ｃはコントローラ３２０による制御の下で通電し、固定鉄芯３１０ｄとともに電磁石として機能する。固定鉄芯３１０ｄは軸方向の長さが励磁コイル３１０ｃよりも短く、励磁コイル３１０ｃの一端から永久磁石３１０ｅの厚みの分だけ突出するように励磁コイル３１０ｃに挿入されている。永久磁石３１０ｅは、励磁コイル３１０ｃの外径と略同一の外径を有し、かつ励磁コイル３１０ｃの内径と略同一の内径を有するドーナッツ型永久磁石である。本実施形態では、永久磁石３１０ｅの２つのドーナッツ状の面のうち一方がＮ極、他方がＳ極となっている。この永久磁石３１０ｅは、図３に示すように、一方のドーナッツ面（本実施形態では、Ｎ極側の面）が励磁コイル３１０ｃに接するように固定鉄芯３１０ｄにはめ込まれている。
【００２１】
このような構成としたため、図３に示すラッチ型ソレノイド３１０においては、例えば図３（Ａ）に示す向きの電流を励磁コイル３１０ｃに通電させることによって永久磁石３１０ｅの磁場と同じ方向の磁場を上記電磁石に発生させ、逆向きの電流（図３（Ｂ）参照）を励磁コイル３１０ｃに通電させることによって、永久磁石３１０ｅの磁場を相殺する方向の磁場を上記電磁石に発生させることができる。本実施形態では、永久磁石３１０ｅとして一方のドーナッツ面がＮ極、他方のドーナッツ面がＳ極となっているドーナッツ型永久磁石を用いたが、例えば外周面が一方の磁極になっており、内周面が他方の磁極となっているドーナッツ型永久磁石を永久磁石３１０ｅとして用いても良い。このような構成のドーナッツ型永久磁石であっても、励磁コイル３１０ｃに通電させる電流の方向によって、当該永久磁石の磁場と同じ方向、或いは相殺する方向の磁場を励磁コイル３１０ｃに発生させることができるからである。
【００２２】
付勢部材３１０ｂは、励磁コイル３１０ｃの内径よりもやや大きな内径を有する弦巻ばねである。プランジャ３１０ａは、励磁コイル３１０ｃの内径よりもやや小さい直径を有する円筒状のプランジャ軸と、励磁コイル３１０ｃの内径よりもやや大きい直径を有する扁平な円筒状の頭部と、により構成されている。このプランジャ３１０ａは例えば鉄などの強磁性材料により形成されている。プランジャ３１０ａの頭部は蓋部２０に連接されており、同プランジャ軸は付勢部材３１０ｂを介して励磁コイル３１０ｃに挿入されている。図３に示すように、付勢部材３１０ｂはプランジャ３１０ａの頭部と励磁コイル３１０ｃに挟まれている。
【００２３】
プランジャ３１０ａは強磁性材料で形成されているため、永久磁石３１０ｅにより形成される磁場と同じ方向の磁場を励磁コイル３１０ｃに発生させると、プランジャ３１０ａは、永久磁石３１０ｅおよび上記電磁石による磁力によって吸引されて付勢部材３１０ｂを押し縮め、固定鉄芯３１０ｄに吸着する（図３（Ａ）参照）。したがって、蓋部２０が閉じた状態から開いた状態に遷移させる際には、永久磁石３１０ｅにより形成される磁場と同じ方向の磁場を励磁コイル３１０ｃに発生させる電流を励磁コイル３１０ｃに通電させれば良い。本実施形態では、永久磁石３１０ｅによる磁力のほうが付勢部材３１０ｂによる付勢力を上回るように構成されている。このため、プランジャ３１０ａが固定鉄芯３１０ｄに吸着した状態で励磁コイル３１０ｃに流れる電流をオフにしても、プランジャ３１０ａは固定鉄芯３１０ｄに吸着されたままの状態となる。
【００２４】
これに対して、プランジャ３１０ａが固定鉄芯３１０ｄに吸着した状態において、永久磁石３１０ｅにより形成される磁場を相殺する方向の磁場を励磁コイル３１０ｃに発生させると、付勢部材３１０ｂが自然長となるまで伸張し、その付勢力によってプランジャ３１０ａを復位させる（図３（Ｂ）参照）。したがって、蓋部２０が開いた状態から閉じた状態に遷移させる際には、永久磁石３１０ｅにより形成される磁場を相殺する方向の磁場を励磁コイル３１０ｃに発生させる電流を励磁コイル３１０ｃに通電させれば良い。そして、付勢部材３１０ｂが自然長まで伸びきった後は、励磁コイル３１０ｃに流れる電流をオフにしてもこの状態が維持されるのである。つまり、本実施形態のイヤホン１Ａにおいては、蓋部２０を開けるとき、または同蓋部２０を閉じるときのみ励磁コイル３１０ｃを通電させればよく、電力の消費を伴わずに蓋部２０を開いた状態、または同蓋部２０を閉じた状態を維持することができるのである。
【００２５】
図４は、ラッチ型ソレノイド３１０の通電制御を行うコントローラ３２０の構成例を示す図である。このコントローラ３２０は、例えばボリュームコントローラなどとともに、楽音再生装置と本体部１０とを接続するケーブル上に設けられる。図４に示すように、コントローラ３２０は、ＣＰＵ（Central Processing Unit）３２１０、インタフェース部３２２０、操作部３２３０、記憶部３２４０、計測部３２５０、およびこれら構成要素間のデータ授受を仲介するバス３２６０を含んでいる。インタフェース部３２２０にはラッチ型ソレノイド３１０が接続される。操作部３２３０は、各種ボタンなどの操作子を備えており、それら操作子に対して為された操作内容を示すデータをＣＰＵ３２１０に与える。これにより、イヤホン１Ａの使用者が操作部３２３０に対して行った操作の内容がＣＰＵ３２１０に伝達される。
【００２６】
計測部３２５０は、イヤホン１Ａの使用者の運動に伴って変化する物理量を計測し、当該物理量を示す信号（すなわち、イヤホン１Ａの使用者の運動状態（当該使用者が静止しているのか、それとも何らかの速度で移動しているのか等）を示す信号、以下、運動状態信号）を出力する。本実施形態では、計測部３２５０として加速度センサが用いられている。つまり、本実施形態では、イヤホン１Ａの使用者の運動に伴って変化する物理量として加速度が用いられるのである。例えば、イヤホン１Ａの使用者が当該イヤホン１Ａを装着して歩行を開始すると、計測部３２５０の出力信号は当該歩行における一歩に応じた周期で変動する波形を示す。このため、計測部３２５０が出力する運動状態信号に波形解析を施し、当該運動状態信号にどのような波形が表れているのかを解析することで、イヤホン１Ａの使用者の運動状態（歩行しているのか、静止しているのかなど）を判定することができる。この判定結果に基づいて本実施形態では蓋部２０の開閉制御が行われるのである。
【００２７】
記憶部３２４０は、図４に示すように、不揮発性記憶部３２４２と揮発性記憶部３２４４とを含んでいる。不揮発性記憶部３２４２は、ＲＯＭなどのデータの書き換えができない不揮発性メモリとＥＥＰＲＯＭなどのデータの書き換えが可能な不揮発性メモリとを含んでいる。不揮発性記憶部３２４２には、開閉制御プログラム３２４２ａと、開閉設定テーブル３２４２ｂとが格納されている。より詳細に説明すると、開閉制御プログラム３２４２ａはＲＯＭなどのデータの書き換えができない不揮発性メモリに格納されており、開閉設定テーブル３２４２ｂはＥＥＰＲＯＭなどのデータの書き換えが可能な不揮発性メモリに格納されている。
【００２８】
揮発性記憶部３２４４は、例えばＲＡＭにより構成されており、開閉制御プログラム３２４２ａを実行する際のワークエリアとしてＣＰＵ３２１０によって利用される。また、この揮発性記憶部３２４４には、開閉制御プログラム３２４２ａの実行過程で参照されるデータとして状態フラグが格納される。状態フラグは０または１の何れかの値を有するデータである。本実施形態では、状態フラグの値が０であれば蓋部２０が閉じた状態であることを示し、同フラグの値が１であれば蓋部２０が開いた状態であることを示す。詳細については後述するが本実施形態では、開閉制御プログラム３２４２ａにしたがって蓋部２０を開閉する処理がＣＰＵ３２１０によって実行され、蓋部２０の開閉に同期させて上記状態フラグの値がＣＰＵ３２１０によって書き換えられる。
【００２９】
不揮発性記憶部３２４２に格納されている開閉制御プログラム３２４２ａは、図４に示すように、開閉制御処理と開閉設定登録処理とをＣＰＵ３２１０に実行させるためのプログラムである。開閉制御処理とは、計測部３２５０から出力される運動状態信号を解析し、当該運動状態信号の表す物理量の特性に基づいて当該イヤホン１Ａの使用者の運動状態を判定し、その判定結果に応じてラッチ型ソレノイド３１０の通電制御（すなわち、蓋部２０の開閉）を行う処理である。詳細については後述するが、本実施形態の開閉制御処理では、運動状態信号に基づいてイヤホン１Ａの使用者が移動している（歩いている場合や走っている場合など）のか否かが判定され、イヤホン１Ａの使用者が移動していると判定される場合には蓋部２０が開いた状態となるようにラッチ型ソレノイド３１０の通電制御が行われ、逆に、イヤホン１Ａの使用者が移動していないと判定された場合（椅子などに腰掛けている場合や立ち止まっている場合など）には蓋部２０が閉じた状態となるようにラッチ型ソレノイド３１０の通電制御が行われる。なお、イヤホン１Ａの使用者が歩いている状態とは、何らかの移動速度で当該使用者が移動しており、かつ何れの瞬間においても左右の脚の少なくとも一方が着地した状態にあることをいう。これに対して、走っている状態とは、何らかの移動速度で当該使用者が移動しており、かつ両方の脚が着地せずに宙に浮いている瞬間がある状態をいう。このように歩いている状態と走っている状態とでは運動中の脚の着地態様が異なるため、この着地態様の相違が運動物理量を示す運動状態信号の波形に現れ、当該波形の特徴を手掛かりに歩いている状態と走っている状態とを区別することができる。また、走っている状態においては、両方の脚が宙に浮く瞬間があり、この瞬間、使用者の身体は自由落下状態になることに着目し、自由落下状態となる瞬間の有無に応じて当該使用者が走っているのか、それとも、歩いているのかを判定する態様も考えられる。
【００３０】
開閉設定登録処理とは、蓋部２０を開いた状態とするべき運動状態または蓋２０を閉じた状態とするべき運動状態をイヤホン１Ａの使用者に登録させる処理である。本実施形態では、イヤホン１Ａの使用者の運動状態を示す運動状態識別データに蓋部２０の開放または閉鎖を指示する開閉指示子を対応付けて開閉設定テーブル３２４２ｂに書き込むことで、運動状態の登録が実現される。本実施形態では、運動状態識別データとして蓋部２０を開いた状態（或いは閉じた状態）とするべき運動状態における運動状態信号の波形を示す波形パターンデータが用いられる。また、開閉指示子としては０または１の値を有するデータが用いられ、値が０である開閉指示子は蓋部２０を開いた状態とすべきことを、同値が１である開閉指示子は蓋部２０を閉じた状態とすべきことを各々意味する。
【００３１】
図５は、開閉設定テーブル３２４２ｂのテーブルフォーマットの一例を示す図である。
図５に示すように、開閉設定テーブル３２４２ｂには、ＩＤと運動状態識別データと開閉指示子とが互いに対応付けられて格納される。ＩＤとは運動状態の登録順に付与される一連番号である。図５に示すように、本実施形態では、イヤホン１Ａの使用者が歩いていることを示す運動状態識別データおよび同使用者が走っていることを示す運動状態識別データには値が０である開閉指示子が対応付けられており、同使用者が静止していることを示す運動状態識別データには値が１である開閉指示子が対応付けられている。つまり、図５に示す例では、蓋部２０を開くべき運動状態として、イヤホン１Ａの使用者が歩いている状態または走っている状態（すなわち、移動している状態）が登録されており、同蓋部２０を閉じるべき運動状態として、イヤホン１Ａの使用者が静止している状態（すなわち、移動していない状態）が登録されているのである。
以上がイヤホン１Ａの構成である。
【００３２】
＜Ｂ：動作＞
以下、蓋部２０を開いた状態とするべき運動状態としてイヤホン１Ａの使用者が移動している状態（歩いている状態、または走っている状態）を登録し、かつ同蓋部２０を閉じた状態とするべき運動状態としてイヤホン１Ａの使用者が移動していない状態（静止している状態）を登録し、かつその登録内容に従って蓋部２０の開閉制御を行う場合を例にとって、開閉制御プログラム３２４２ａにしたがってＣＰＵ３２１０が実行する動作を説明する。
【００３３】
開閉制御プログラム３２４２ａにしたがって作動しているＣＰＵ３２１０は、操作部３２３０に対する操作により開閉設定登録処理の開始を指示されると当該開閉設定登録処理の実行を開始し、開閉制御処理の開始を指示されると当該開閉制御処理の実行を開始する。
【００３４】
（Ｂ−１：開閉設定登録処理における動作）
図６は、開閉設定登録処理の流れを示すフローチャートである。
図６に示すように開閉設定登録処理では、ＣＰＵ３２１０は、イヤホン１Ａの使用者により指示された期間内に計測部３２５０から出力される運動状態信号にＡ／Ｄ変換を施して得られる波形データ（波形を表すサンプル列）を揮発性記憶部３２４４に書き込むことで登録対象の運動状態における波形データを記録する（ステップＳＡ１００）。次いで、ＣＰＵ３２１０は、ステップＳＡ１００にて揮発性記憶部３２４４に書き込んだ波形データからその波形パターンを示す波形パターンデータを生成する（ステップＳＡ１１０）。
【００３５】
ここで波形パターンデータとしては種々のものを用いることが考えられる。例えば、イヤホン１Ａの使用者が歩いている場合や走っている場合には運動状態信号に略同一の波形が略一定の周期で繰り返し現れるため、その一周期分（すなわち、一歩分）の波形を表すサンプル列を波形パターンデータとして用いることが考えられる。また、運動状態信号に略同一の波形が略一定の周期で繰り返し現れる場合には、当該一周期分の波形に含まれる１または複数の変曲点の各々を示すデータ（波形の先頭から当該変曲点までの時間間隔、当該変曲点における運動状態信号の信号値、当該変曲点における運動状態信号の一次微分値或いは高次微分値など）の配列等を用いることが考えられる。なお、上記変曲点の一例としては、ローカルピーク（すなわち、波形が上昇から下降に転じる点）を用いることが考えられる。
【００３６】
ステップＳＡ１１０に後続するステップＳＡ１２０では、ＣＰＵ３２１０は、操作部３２３０に対して為された操作に応じて、ステップＳＡ１００にて記録した運動状態を蓋部２０を開いた状態（或いは閉じた状態）とするべき運動状態として登録する。例えば、蓋部２０を開いた状態とするべき運動状態として登録する旨の操作が操作部３２３０に対して為された場合には、ＣＰＵ３２１０は、ステップＳＡ１１０にて生成した波形パターンデータを運動状態識別データとし、値が０である開閉指示子とその登録順を示すＩＤを対応付けて開閉設定テーブル３２４２ｂに書き込む。逆に、蓋部２０を閉じた状態とするべき運動状態として登録する旨の操作が為された場合には、ＣＰＵ３２１０は、同運動状態識別データに値が１である開閉指示子とＩＤとを対応付けて開閉設定テーブル３２４２ｂに書き込む。これにより蓋部２０を開いた状態とするべき運動状態（或いは蓋部２０を閉じた状態とするべき運動状態）の登録が完了するのである。
【００３７】
蓋部２０を開いた状態とするべき運動状態としてイヤホン１Ａの使用者が移動している状態（歩いている状態、或いは走っている状態）を登録する場合には、当該使用者は、実際に移動している状態（歩いている、或いは走っている状態）において開閉設定登録処理の実行指示を操作部３２３０に対する操作により与え、その後、当該運動状態を蓋部２０を開いた状態とするべき運動状態として登録する旨の操作を操作部３２３０に対して行えば良い。同様に、蓋部２０を閉じた状態とするべき運動状態としてイヤホン１Ａの使用者が移動していない状態（静止している状態）を登録する場合には、当該使用者は、実際に移動していない状態（静止している状態）において開閉設定登録処理の実行指示を操作部３２３０に対する操作により与え、その後、当該運動状態を蓋部２０を閉じた状態とするべき運動状態として登録する旨の操作を操作部３２３０に対して行えば良い。
【００３８】
以上のようにして蓋部２０を開いた状態とするべき運動状態および同蓋部２０を閉じた状態とするべき運動状態の登録が完了すると、イヤホン１Ａの使用者は操作部３２３０に対する操作により開閉制御処理に開始を指示する。これにより、ＣＰＵ３２１０は開閉制御処理の実行を開始する。
【００３９】
（Ｂ−２：開閉制御処理における動作）
図７は、開閉制御処理の流れを示すフローチャートである。ＣＰＵ３２１０は、計測部３２５０から出力される運動状態信号と開閉設定テーブル３２４２ｂの格納内容とを参照し、イヤホン１Ａの使用者の運動状態が蓋部２０を開くべき運動状態として設定されたものであるのか、同蓋部２０を閉じるべき運動状態として設定されたものであるのか、それともそれらの何れでもないのかを判定する（ステップＳＢ１００）。
【００４０】
より詳細に説明すると、ステップＳＢ１００においてＣＰＵ３２１０は、まず、計測部３２５０から出力された運動状態信号の波形（略一定の周期で略同一の波形が表れる場合にはその一周期分の波形）と同一のまたは類似する波形を示す運動状態識別データが開閉設定テーブル３２４２ｂに格納されているか否かを判定する。なお、波形の同一または類似の判定に関しては既存の周知技術を用いるようにすれば良い。例えば、波形パターンデータとしてサンプル列を用いる場合、当該サンプル列を多次元ベクトル（各サンプルを成分とするベクトル）とみなし、運動状態信号に対応する多次元ベクトルと運動状態識別データに対応する多次元ベクトルとの為す角度の大きさが所定の閾値未満である場合に、両ベクトルの表す波形は類似であると判定し、当該角度が０度である場合に両ベクトルの表す波形は同一であると判定するようにすれば良い。
【００４１】
そして、同一のまたは類似する波形を示す運動状態識別データが開閉設定テーブル３２４２ｂに格納されていない場合には、ＣＰＵ３２１０は、イヤホン１Ａの使用者の運動状態は「蓋部２０を開いた状態とするべき運動状態」ではなく、「蓋部２０を閉じた状態とするべき運動状態」でもない状態（以下、「その他の状態」）であると判定する。これに対して、同一のまたは類似する波形を示す運動状態識別データが開閉設定テーブル３２４２ｂに格納されていた場合には、ＣＰＵ３２１０は当該運動状態識別データに対応付けて開閉設定テーブル３２４２ｂに格納されている開閉指示子を取得し、その値が０であれば「蓋部２０を開くべき運動状態」であると判定し、その値が１であれば「蓋部２０を閉じるべき運動状態」と判定する。
【００４２】
ステップＳＢ１００にて蓋部２０を開くべき運動状態であると判定された場合には、ＣＰＵ３２１０は揮発性記憶部３２４４に格納されている状態フラグを参照し、蓋部２０が閉じているか否かを判定する（ステップＳＢ１１０）。より詳細に説明すると、ＣＰＵ３２１０は状態フラグの値が０であれば蓋部２０は閉じていると判定し、逆に、状態フラグの値が１であれば蓋部２０は開いていると判定する。そして、ＣＰＵ３２１０は、蓋部２０が閉じていると判定した場合（すなわち、ステップＳＢ１１０の判定結果が“Ｙｅｓ”）である場合にのみ、蓋部２０が開いた状態となるようにラッチ型ソレノイド３１０の通電制御を行い（ステップＳＢ１２０）、状態フラグの値を１（すなわち、蓋部２０が開いていることを示す値）に書き換える。つまり、蓋部２０を開くべき運動状態であることが検出された時点において蓋部２０が閉じていたのであれば、当該運動状態の検出を契機として蓋部２０が開かれ、当該運動状態の検出時点において既に蓋部２０が開いていたのであれば、特段の処理は実行されない。以降、ＣＰＵ３２１０は、ステップＳＢ１５０の処理を実行する。このステップＳＢ１５０では、ＣＰＵ３２１０は操作部３２３０に対して開閉制御処理の終了を指示する操作が為されたか否かを判定する。ステップＳＢ１５０の判定結果が“Ｎｏ”であれば、ＣＰＵ３２１０はステップＳＢ１００以降の処理を実行し開閉制御処理を継続する一方、ステップＳＢ１５０の判定結果が“Ｙｅｓ”であれば、開閉制御処理を終了する。
【００４３】
ステップＳＢ１００にて蓋部２０を閉じるべき運動状態であると判定された場合には、ＣＰＵ３２１０は上記状態フラグを参照し、蓋部２０が開いているか否か（すなわち、状態フラグの値が１であるか否か）を判定する（ステップＳＢ１３０）。そして、ＣＰＵ３２１０は、蓋部２０が開いていると判定した場合（すなわち、ステップＳＢ１３０の判定結果が“Ｙｅｓ”）である場合にのみ、蓋部２０が閉じた状態となるようにラッチ型ソレノイド３１０の通電制御を行い（ステップＳＢ１４０）、状態フラグの値を０（すなわち、蓋部２０が閉じていることを示す値）に書き換える。つまり、蓋部２０を閉じるべき運動状態が検出された時点において蓋部２０が開いていたのであれば、当該運動状態の検出を契機として蓋部２０が閉じられ、当該運動状態の検出時点において既に蓋部２０が閉じた状態であれば、特段の処理は実行されない。以降、ＣＰＵ３２１０は、前述したステップＳＢ１５０の処理を実行する。
【００４４】
そして、ステップＳＢ１００にてその他の運動状態であると判定された場合にはＣＰＵ３２１０は、ステップＳＢ１５０の処理のみを実行する。この場合、蓋部２０が閉じた状態であればその状態がそのまま維持され、逆に、蓋部２０が開いた状態であればその状態がそのまま維持される。
以上が本実施形態における開閉制御処理の詳細である。
【００４５】
前述したように、本実施形態では、蓋部２０を閉じた状態とするべき運動状態として、イヤホン１Ａの使用者が静止している状態（すなわち、イヤホン１Ａの使用者が移動していない状態）が登録されている。したがって、イヤホン１Ａの使用者が椅子に腰掛けるなどして静止した状態で当該イヤホン１Ａを用いて楽音を聴き始めた場合には、ステップＳＢ１００において蓋部２０を閉じた状態とするべき運動状態であると判定され、ステップＳＢ１３０の処理が実行される。このため、イヤホン１Ａの使用者が楽音を聴き始めた時点において蓋部２０が開いていたのであれば、ステップＳＢ１３０の判定結果は“Ｙｅｓ”になり、蓋部２０は閉じられる。蓋部２０が閉じた状態では、イヤホン１Ａの使用者の外耳道は外部の空間から遮断されるため、当該イヤホン１Ａの使用者は周囲の音に煩わされることなく楽音の聴取を楽しむことができるのである。
【００４６】
また、本実施形態では、蓋部２０を開いた状態とするべき運動状態として、イヤホン１Ａの使用者が歩いている状態および同使用者が走っている状態（すなわち、イヤホン１Ａの使用者が移動している状態）が登録されている。したがって、イヤホン１Ａの使用者が当該イヤホン１Ａを使用して楽音を聴きながら歩き始めた場合（または走り始めた場合）には、ステップＳＢ１００において蓋部２０を開いた状態とするべき運動状態であると判定され、ステップＳＢ１１０の処理が実行される。このため、イヤホン１Ａの使用者が歩き始めた（或いは走り始めた）時点において蓋部２０が閉じていたのであれば、ステップＳＢ１１０の判定結果は“Ｙｅｓ”になり、蓋部２０が開かれる。蓋部２０が開かれた状態では、イヤホン１Ａの使用者の外耳道は開口部１３０、開口部１７０および開口部１６０を介して外部の空間と連通するため、当該イヤホン１Ａの使用者は周囲の音を聴き取ることができる。このため、イヤホン１Ａの使用者は、当該イヤホン１Ａを用いて楽音を聴きながら屋外を歩いて（或いは走って）いたとしても、車両の発する走行音や警告音を聴き取ることができ、予期せぬ危険に曝されることはないのである。また、イヤホン１Ａの使用者が開口部１３０および１６０を介して聴き取る外部の音は、電気的な信号処理を経たものではないため、特段の違和感を感じることもない。
【００４７】
以上説明したように、本実施形態のイヤホン１Ａにおいては蓋部２０の開閉制御は当該イヤホン１Ａの使用者の運動状態に連動して自動的に行われ、当該使用者は蓋部２０を開閉するための操作を行う必要はない。つまり、本実施形態によれば、使用者に煩雑な操作を強いることなく、歩行中などの運動状態においては周囲の音を違和感を伴うことなく聴くことが可能なカナル型イヤホンを提供することができるのである。なお、本実施形態では、蓋部２０の開閉によって、開口部１６０が開いている状態では開口部１７０も開いている状態とし、開口部１６０が閉じている状態では開口部１７０も閉じている状態としたが、開口部１６０と開口部１７０の何れか一方を蓋部２０により開閉し、他方を常時開けておく態様によっても、本実施形態と同一の効果が得られる。
【００４８】
＜Ｃ：変形例＞
以上、本発明の一実施形態について説明したが、この実施形態に以下に述べる変形を加えても勿論良い。
（１）上述した実施形態では、イヤホン１Ａの使用者の運動状態に応じて蓋部２０の開閉制御を行った。しかし、蓋部２０を開いておくべき運動状態であっても、イヤホン１Ａの使用者により蓋部２０を閉じる旨の指示が操作部３２３０を介して与えられた場合には当該指示に応じて蓋部２０を閉じる処理をＣＰＵ３２１０に実行させ、その後も蓋部２０を閉じた状態を維持するようにしても良い。同様に、蓋部２０を閉じておくべき運動状態であっても、イヤホン１Ａの使用者により蓋部２０を開く旨の指示が操作部３２３０を介して与えられた場合には当該指示に応じて蓋部２０を開く処理をＣＰＵ３２１０に実行させ、その後も蓋部２０を開いた状態を維持するようにしても良い。
【００４９】
（２）上述した実施形態では、蓋部２０を開いた状態とするべき運動状態（上記実施形態では、イヤホン１Ａの使用者が移動している状態）と同蓋部２０を閉じた状態とするべき運動状態（上記実施形態では、イヤホン１Ａの使用者が移動していない状態）の両方を開閉設定登録処理にて登録したが、何れか一方の運動状態のみを登録するようにしても良い。例えば、蓋部２０を開いた状態とするべき運動状態を示す運動状態識別データのみを開閉設定テーブル３２４２ｂに書き込むのである。この場合、開閉制御処理のステップＳＢ１００においては、運動状態信号の示す波形と同一のまたは類似する波形を示す運動状態識別データが開閉設定テーブル３２４２ｂに格納されていない場合には、イヤホン１Ａの使用者の運動状態は「蓋部２０を閉じた状態とするべき運動状態」であると判定させるようにすれば良い。
【００５０】
（３）上述した実施形態では、使用者の耳に装着されると当該使用者の外耳道の形状に合わせて変形するように弾性体により形成されたイヤーピースＥＰがイヤホン１Ａの本体部１０に予め装着されていた。しかし、イヤホン１ＡからイヤーピースＥＰを除いた部分をイヤホンとして流通させても良い。イヤーピース部分は使用に伴って劣化する消耗品であるとともに、使用者の嗜好が強く表れる部分でもあるため、イヤーピースのみ単体で様々な種類のものが市場に流通している。これら一般に流通しているイヤーピースのうちから使用者の嗜好に則したものを選択し、そのイヤーピースを装着することでカナル型イヤホンとして使用することができるようにするためである。このように、イヤホン１ＡからイヤーピースＥＰを除いて流通させる態様であっても上記第１実施形態と同一の効果が得られることは言うまでもない。本発明の特徴である開口部１６０および１７０は本体１１０に形成されており、蓋部２０および蓋部２０を開閉するためのラッチ型ソレノイド３１０は何れも本体部１０に内蔵されており、コントローラ３２０は例えばボリュームコントローラなどとともにイヤホン１Ａと楽音再生装置とを接続するケーブル上に設けられているからである。
【００５１】
（４）上述した実施形態では、イヤホン１Ａの使用者の運動に伴って変化する物理量として加速度を用い、当該加速度を計測するための加速度センサを計測部３２５０として用いた。しかし、上記物理量として移動速度や角速度を上記加速度に換えて用いても良く、また、これら移動速度や角速度を上記加速度とともに用いるようにしても良い。例えば、上記物理量として加速度の他に移動速度を用いる場合には、計測部３２５０を加速度センサと当該加速度センサの出力信号を所定時間に渡って積分する回路とで構成し、当該回路の出力信号（すなわち、所定時間分の加速度の積分値）を移動速度を表す信号として用いることが考えられる。そして、上記物理量としてイヤホン１Ａの使用者の移動速度と加速度とを用いる場合には、当該物理量に基づいて以下のように蓋部２０の開閉制御を行うことが考えられる。
【００５２】
ます、加速度の波形からイヤホン１Ａの使用者が静止していると判定される場合には、蓋部２０を閉じた状態とする処理をＣＰＵ３２１０に実行させる。これに対して、イヤホン１Ａの使用者が移動していると判定される場合には、その移動速度が所定の閾値（例えば、人間の平均点な走行速度よりもやや大きい値）以下であれば、蓋部２０を開いた状態とする処理をＣＰＵ３２１０に実行させ、その移動速度が当該閾値を超えている場合には、蓋部２０を閉じた状態とする処理をＣＰＵ３２１０に実行させるのである。例えば、イヤホン１Ａの使用者が車両等に乗って移動している場合にはその移動速度は上記閾値を上回っていることが一般的であり、このような場合には蓋部２０は閉じた状態とされる。車両等に乗って移動している場合には背後からの車両の接近等に注意する必要はなく、周囲の音を聴きとる必要がないため、蓋部２０を閉じて楽音の聴取に専念できるようにしたものである。なお、本変形例では、加速度センサの出力信号を積分してイヤホン１Ａの使用者の移動速度を求め、当該移動速度が所定の閾値を上回っている場合（すなわち、車両などに乗って高速移動している場合）には、蓋部２０が閉じた状態となるように蓋部２０の開閉制御を行う場合について説明したが、加速度センサの出力信号の波形パターンを解析してイヤホン１Ａの使用者が高速移動を行っているか否かを判定しても良い。例えば、イヤホン１Ａの使用者が車両に乗って移動している場合には、所定の速度に達するまで急激に加速した後、減速に転じるといった特徴的な波形パターン（すなわち、所定の閾値を超える勾配で波形が立ち上がり、その後下降に転じるといった波形パターン）が加速度センサの出力信号に表れるからである。
【００５３】
（５）上述した実施形態では、蓋部２０を開閉するためのアクチュエータとしてラッチ型のもの（ラッチ型ソレノイド）を用いたが、プル型ソレノイド（或いはプッシュ型ソレノイド）などプル型（或いはプッシュ型）のものを用いるようにしても勿論良い。また、ソレノイド以外の電磁式のもの、静電式、圧電式、或いは高分子式など他の方式のアクチュエータを用いても良い。ただし、プル型（或いはプッシュ型）のアクチュエータを用いて蓋部２０の開閉制御を行う場合、それらアクチュエータを通電させた状態における蓋部２０の位置をその通電前の位置に復位させる機構を別途設ける必要がある。また、プル型（或いはプッシュ型）のアクチュエータを用いて蓋部２０の開閉制御からを行う態様では、蓋部２０が開いた状態（或いは閉じた状態）を維持するのにそれらアクチュエータを通電させ続ける必要があり、この点においてラッチ型のものを用いた場合に比較して劣る。
【００５４】
（６）上述した実施形態では、開閉制御処理および開閉設定登録処理をソフトウェアにより実現した。しかし、これら各処理を実行する電子回路（開閉制御処理を実行する開閉制御部、および開閉設定登録処理を実行する開閉設定登録部）を組み合わせてイヤホン１Ａのコントローラ３２０を構成しても勿論良い。また、図８に示すように、イヤホン１Ａの使用者の運動に伴って変化する物理量を計測する計測部から出力される運動状態信号から運動状態識別データを生成して開閉設定テーブルに書き込む開閉設定登録装置、開閉設定テーブルの格納内容と運動状態信号とからイヤホン１Ａの使用者の運動状態が蓋部２０の開閉を行うべきものであるか否かを識別する運動状態認識装置、および当該運動状態認識装置による識別結果に応じてラッチ型ソレノイド３１０を駆動する開閉制御装置の各々を別個の装置で構成し、これら各装置を組み合わせてコントローラ３２０を構成しても勿論良い。また、上述した実施形態では、ＣＰＵ３２１０に開閉制御処理、および開閉設定登録処理を実行させる開閉制御プログラム３２４２ａが不揮発性記憶部３２４２に予め書き込まれていたが、当該プログラムをＣＤ−ＲＯＭ（Compact Disk-Read Only Memory）などのコンピュータ読み取り可能な記録媒体に書き込んで配布しても良く、また、インターネットなどの電気通信回線経由のダウンロードにより配布しても良い。
【００５５】
（７）上述した実施形態では、使用者の指示に応じて運動状態識別データを生成し、当該運動状態識別データを開閉指示子とを対応付けて開閉設定テーブル３２４２ｂに書き込む開閉設定登録処理をＣＰＵ３２１０に実行させた。これにより、イヤホン１Ａの使用者の歩き方（或いは走り方）の癖を反映した運動状態識別データをコントローラ３２０に記憶させる（学習させる）ことができる。しかし、例えば、歩行時における人間の平均的な加速度波形を表す運動状態識別データと蓋部２０の開放を指示する開閉指示子との組を電気通信回線経由のダウンロードにより（或いは、メモリスティックなどの記録媒体に書き込んで）配布し、このようにして配布される運動状態識別データおよび開閉指示子にしたがって蓋部２０の開閉制御をＣＰＵ３２１０に実行させるようにしても良い。このような態様であれば、必ずしも開閉設定登録処理をＣＰＵ３２１０に実行させる必要はなく、開閉設定登録部を設ける必要もない。
【００５６】
（８）上述した実施形態では、イヤホン１Ａの使用者の運動に伴って変化する物理量を計測するための計測部をコントローラ３２０の構成要素としたが、当該計測部をイヤホン１Ａの本体部１０に配置しても良く、また、計測部のみを本体部１０やコントローラ３２０とは別個に設け当該使用者の腕や腰、脚など上記運動量を計測し易い部分に当該計測部を装着可能なように構成しても良い。
【００５７】
（９）上述した実施形態では、イヤホン１Ａの使用者の運動状態に同期させて蓋部２０の開閉制御を行ったが、さらに、スピーカＳＰの再生音量の制御を蓋部２０の開閉制御に同期させてコントローラ３２０に実行させるようにしても良い。具合的には、蓋部２０を開いた状態に遷移させるのに同期させてスピーカＳＰの再生音量を引き下げ、スピーカＳＰによる再生音によって外部の音の聴き取りが妨げられないようにするのである。また、上述した実施形態のように、蓋部２０を開いた状態とするべき運動状態として「イヤホン１Ａの使用者が歩いている状態」と「イヤホン１Ａの使用者が走っている状態」とを登録する場合には、前者の場合には蓋部２０の開放のみを行い、後者の場合には蓋部２０の開放とスピーカＳＰの再生音量の引き下げとを行うようにしても良い。
【００５８】
このようなことは以下のようにして実現される。まず、蓋部２０を開くことを指示する開閉指示子として“０”および“２”の２種類を用意し、前者については蓋部２０の開放のみを指示する値として用い、後者については蓋部２０の開放に加えてスピーカＳＰの再生音量の引き下げを指示する値として用いる。そして、イヤホン１Ａの使用者が歩いていることを示す運動状態識別データには値が“０”の開閉指示子を対応付けて開閉設定テーブル３２４２ｂに格納し、イヤホン１Ａの使用者が走っていることを示す運動状態識別データには値が“２”の開閉指示子を対応付けて開閉設定テーブル３２４２ｂに格納しておくのである。図４のステップＳＢ１００にて読み出された開閉指示子の値が０であれば、ＣＰＵ３２１０には蓋部２０を開いた状態とする処理（図４のステップＳＢ１１０およびステップＳＢ１２０の処理）のみを実行させる。これに対して、同開閉指示子が“２”であれば、蓋部２０を開いた状態とする処理に加えてスピーカＳＰの音量制御を行う処理をＣＰＵ３２１０に実行させるのである。
【符号の説明】
【００５９】
１Ａ…イヤホン、１０…本体、１１０…フロントキャビティ、１２０…バックキャビティ、１３０，１６０，１７０…開口部、２０…蓋部、３１０…ラッチ型ソレノイド、３１０ａ…プランジャ、３１０ｂ…付勢部材、３１０ｃ…励磁コイル、３１０ｄ…固定鉄芯、３１０ｅ…永久磁石、３２０…コントローラ、３２１０…ＣＰＵ、３２２０…インタフェース部、３２３０…操作部、３２４０…記憶部、３２４２…不揮発性記憶部、３２４２ａ…開閉制御プログラム、３２４２ｂ…開閉設定テーブル、３２４４…揮発性記憶部、３２５０…計測部、３２６０…バス、８２…鼓膜、８４…外耳道、８６…音道、ＥＰ…イヤーピース。
【図１】
0005751022.tif 000002
【図２】
0005751022.tif 000003
【図３】
0005751022.tif 000004
【図４】
0005751022.tif 000005
【図５】
0005751022.tif 000006
【図６】
0005751022.tif 000007
【図７】
0005751022.tif 000008
【図８】
0005751022.tif 000009
【図９】
0005751022.tif 000010